(57)【特許請求の範囲】
【請求項１】
生体の血圧値を測定する血圧値測定手段と、該血圧値測定手段により測定された血圧値を該血圧値に対応する測定日時と共に逐次記憶させる血圧値記憶手段とを備え、該血圧値記憶手段により逐次記憶された血圧値を該血圧値に対応する測定日時と共に記録紙上にリスト表示し、且つ時系列的にトレンドグラフ表示する形式の血圧測定装置であって、
前記血圧値記憶手段により記憶されている全ての血圧値のうちで、初期の測定日時を有する血圧値群に含まれる初期血圧値を記憶させる初期血圧値記憶手段と、
前記血圧値記憶手段により記憶されている全ての血圧値のうちで、終期の測定日時を有する血圧値群に含まれる終期血圧値を記憶させる終期血圧値記憶手段と、
前記初期血圧値記憶手段と前記終期血圧値記憶手段により記憶される血圧値を除く前記血圧値記憶手段により記憶されている全ての血圧値のうちで、最高血圧値が最高値を示す血圧値を記憶させる最高血圧値記憶手段と、
前記初期血圧値記憶手段と前記終期血圧値記憶手段により記憶される血圧値を除く前記血圧値記憶手段により記憶されている全ての血圧値のうちで、最高血圧値が最低値を示す血圧値を記憶させる最低血圧値記憶手段と、
前記血圧値記憶手段に記憶されている全ての血圧値を記録紙上に測定順序に従って等間隔にトレンドグラフ表示し、初期血圧値記憶手段、終期血圧値記憶手段、最高血圧値記憶手段、及び最低血圧値記憶手段により記憶されている４種の血圧値を、該４種の血圧値に対応する測定日時と共に記録紙上にリスト表示し、且つ該４種の血圧値に対応する記号をトレンドグラフに付する表示出力制御手段と
を、有することを特徴とする血圧測定装置。
【発明の詳細な説明】
【０００１】
【発明の属する技術分野】
本発明は、血圧測定装置において、血圧値等を対応する測定日時と共に記録紙上にリスト表示し、且つ時系列的にトレンドグラフ表示する装置の改良に関するものである。
【０００２】
【従来の技術】
血圧測定終了後に、磁気ディスク等により構成される記憶装置等に保存されている血圧値等を、今回測定された血圧値等と合わせて、対応する測定日時と共に記録紙上にリスト表示し、且つ時系列的にトレンドグラフ表示する形式の自動血圧測定装置が知られている。このような自動血圧測定装置によれば、トレンドグラフにより血圧値等の推移を把握することができるので、今回測定された血圧値等と比較することにより、測定方法の適否、及び被測定者の現在の健康状態の良否等の有用な情報が得られた。また、トレンドグラフ表示に対応するリスト表示を適宜参照することにより、トレンドグラフ表示される血圧値等の具体的な数値、及び対応する測定日時を確認することが可能であった．
【０００３】
【発明が解決すべき課題】
しかし、上述のように、血圧値等が時系列的にトレンドグラフ表示されると、通常、血圧測定は定期的に行われるわけではないので、血圧値等の表示される間隔が不均一になり、血圧値等の推移を把握しにくかった。また、全ての血圧値等がリスト表示されると、過去に測定された血圧値等の数が膨大な場合には、トレンドグラフ表示から対応する特定のリスト表示を探し出すのに非常に手間がかかった。また、多量のリストを表示しなければならないので、記録紙が大量に必要になるという問題もあった。
【０００４】
本発明は以上の事情を背景として為されたものであり、その目的とするところは、トレンドグラフから血圧値等の推移が容易に把握され、且つトレンドグラフ表示から対応する特定のリスト表示を速やかに探し出すことができ、且つ記録紙の使用量をできる限り削減できる血圧測定装置を提供することにある。
【０００５】
【課題を解決するための手段】
かかる目的を達成するための本発明の要旨とするところは、生体の血圧値を測定する血圧値測定手段と、該血圧値測定手段により測定された血圧値を該血圧値に対応する測定日時と共に逐次記憶させる血圧値記憶手段とを備え、該血圧値記憶手段により逐次記憶された血圧値を該血圧値に対応する測定日時と共に記録紙上にリスト表示し、且つ時系列的にトレンドグラフ表示する形式の血圧測定装置であって、（ａ）前記血圧値記憶手段により記憶されている全ての血圧値のうちで、初期の測定日時を有する血圧値群に含まれる初期血圧値を記憶させる初期血圧値記憶手段と、（ｂ）前記血圧値記憶手段により記憶されている全ての血圧値のうちで、終期の測定日時を有する血圧値群に含まれる終期血圧値を記憶させる終期血圧値記憶手段と、（ｃ）前記初期血圧値記憶手段と前記終期血圧値記憶手段により記憶される血圧値を除く前記血圧値記憶手段により記憶されている全ての血圧値のうちで、最高血圧値が最高値を示す血圧値を記憶させる最高血圧値記憶手段と、（ｄ）前記初期血圧値記憶手段と前記終期血圧値記憶手段により記憶される血圧値を除く前記血圧値記憶手段により記憶されている全ての血圧値のうちで、最高血圧値が最低値を示す血圧値を記憶させる最低血圧値記憶手段と、（ｅ）前記血圧値記憶手段に記憶されている全ての血圧値を記録紙上に測定日時に従って等間隔にトレンドグラフ表示し、初期血圧値記憶手段、終期血圧値記憶手段、最高血圧値記憶手段、及び最低血圧値記憶手段により記憶されている４種の血圧値を、該４種の血圧値に対応する測定日時と共に記録紙上にリスト表示し、且つ該４種の血圧値に対応する記号をトレンドグラフに付する表示出力制御手段とを、有することにある。
【０００６】
【発明の効果】
このようにすれば、前記血圧値記憶手段に記憶されている全ての血圧値は、前記表示出力制御手段により記録紙上に測定順序に従って等間隔にトレンドグラフ表示され、また、それら全ての血圧値のうちで、前記初期血圧値記憶手段により記憶されている初期の測定日時を有する血圧値群に含まれる初期血圧値と、前記終期血圧値記憶手段により記憶されている終期の測定日時を有する血圧値群に含まれる終期血圧値と、前記最高血圧値記憶手段により記憶されている最高血圧値が最高値を示す血圧値（初期血圧値記憶手段と終期血圧値記憶手段により記憶されている血圧値を除く）と、前記最低血圧値記憶手段により記憶されている最高血圧値が最低値を示す血圧値（初期血圧値記憶手段と終期血圧値記憶手段により記憶されている血圧値を除く）との４種の血圧値は、それら４種の血圧値に対応する測定日時と共に記録紙上にリスト表示され、しかも、それら４種の血圧値に対応する記号がトレンドグラフに付される。したがって、リスト表示される血圧値は、トレンドグラフとの対応関係の確認が特に要求される主要な４種の血圧値に限られており、しかも、それら４種の血圧値に対応する記号がトレンドグラフに付されているので、トレンドグラフ表示から対応する特定のリスト表示を速やかに探し出すことができ、しかも、記録紙の使用量を削減することができる。また、リスト表示される主要な４種の血圧値には、前記初期血圧値および前記終期血圧値が含まれているので、表示されているトレンドグラフがどのくらいの期間に渡って測定されたものかを容易且つ速やかに判別できる。さらに、トレンドグラフ表示にはリスト表示とは異なり全ての血圧値が表示されると共に、測定順序に従って等間隔に表示されるので、血圧値の推移が容易に把握される。しかも、縦列表示されるリスト表示とは異なり、トレンドグラフは並列表示されるので全ての血圧値が表示されても記録紙の使用量を徒に増やしてしまうことはない。
【０００７】
【発明の実施の形態】
以下、本発明の一実施例を図面に基づいて詳細に説明する。
【０００８】
図１は、本発明の一実施例の自動血圧測定装置１０を示す斜視図である。図において、箱体１２には、被測定者の腕１４を差し込むための貫通穴１６が設けられており、その貫通穴１６内には、袋状の可撓性布及びゴム袋から成るカフ１８を内周面に備えて円筒状に保持されたベルト２０が配設されている。箱体１２の操作パネル２２には、起動スイッチ２４、停止スイッチ２６、プリンタ２８、磁気カード挿入口３０などが配設され、表示パネル３２には、最高血圧表示器３４、最低血圧表示器３６、脈拍数表示器３８、時刻表示器４０がそれぞれ配設されている。
【０００９】
図２は、上記自動血圧測定装置１０の回路構成を説明するブロック線図である。図において、カフ１８は、圧力センサ４２、排気制御弁４４、及び空気ポンプ４６と配管４８を介して接続されており、そのカフ１８を内周面に備えて円筒状に巻回されたベルト２０の一端は固定され且つ他端は減速機付ＤＣモータ５０により駆動されるドラム５２により引き締められるようになっている。圧力センサ４２の出力信号はバンドパスフィルタ５４により弁別され、脈拍に同期して発生するカフの圧力信号である脈波信号ＳＭが演算制御回路５６のＡ／Ｄ変換器５８に供給される。また、圧力センサ４２の出力信号はローパスフィルタ６０により弁別され、カフ１８の静圧を表すカフ圧信号ＳＫが演算制御回路５６のＡ／Ｄ変換機５８に供給される。
【００１０】
上記演算制御回路５６は、ＣＰＵ６２、ＲＯＭ６４、ＲＡＭ６６、入力インターフェース回路６８、出力インターフェース回路７０などを備えたマイクロコンピュータである。ＣＰＵ６２は、ＲＡＭ６６の一時記憶機能を利用しつつ予めＲＯＭ６４に記憶された手順に従って入力信号を処理して駆動信号や表示信号などを出力する。すなわち、血圧測定に際しては、ＣＰＵ６２は、予め定められた手順に従って減速機付ＤＣモータ５０を駆動することによりカフ１８を生体の上腕部に巻回し、空気ポンプ４６を駆動することによりカフ１８により上腕部を圧迫し、次いで排気制御弁４４を駆動してカフ１８の圧迫圧力を徐々に降圧させ、その徐速降圧過程において得られる脈波信号ＳＭ及びカフ圧信号ＳＫに基づいてオシロメトリック方式により血圧値を決定し、その血圧値を最高血圧表示器３４及び最低血圧表示器３６に表示させると同時に、血圧測定を開始してから５分間以内に測定された血圧値を、一旦記憶装置７２の仮血圧値記憶領域７４に、対応する測定日時と共に仮血圧値として記憶させる。そして、ＣＰＵ６２は、これらの仮血圧値記憶領域７４に記憶された仮血圧値のうち、最高血圧値が最低値を示す血圧値のみを記憶装置７２の血圧値記憶領域７６に記憶させる。
【００１１】
また、ＣＰＵ６２は、血圧値記憶領域７６に記憶されている全ての血圧値のうちで、最も古い測定日時を有する血圧値を初期血圧値記憶領域７８に、二番目に新しい測定日時を有する血圧値を終期血圧値記憶領域８０に、最高血圧値が最高値を示す血圧値（但し、初期血圧値記憶領域７８及び終期血圧値記憶領域８０に記憶される血圧値を除く）を最高血圧値記憶領域８２に、最高血圧値が最低値を示す血圧値（但し、初期血圧値記憶領域７８及び終期血圧値記憶領域８０に記憶される血圧値を除く）を最低血圧値記憶領域８４に記憶させる。この記憶装置７２は、磁気ディスク、磁気テープ、揮発性半導体メモリ、或いは不揮発性半導体メモリなどのよく知られた記憶装置により構成されている。
【００１２】
図３は、上記演算制御回路５６の制御機能を説明する機能ブロック線図である。図において、血圧値測定手段９０により測定されると同時に血圧値記憶手段９２により記憶される全ての血圧値のうち、最も古い測定日時を有する血圧値は初期血圧値記憶手段９４により記憶され、二番目に新しい測定日時を有する血圧値は終期血圧値記憶手段９６により記憶され、最高血圧値が最高値を示す血圧値（但し、初期血圧値記憶領域７８及び終期血圧値記憶領域８０に記憶される血圧値を除く）は最高血圧値記憶手段９８により記憶され、最高血圧値が最低値を示す血圧値（但し、初期血圧値記憶領域７８及び終期血圧値記憶領域８０に記憶される血圧値を除く）は最低血圧値記憶手段１００により記憶される。そして、表示出力制御手段１０２により、血圧値記憶手段９２に記憶されている全ての血圧値が記録紙上に測定順序に従って等間隔にトレンドグラフ表示され、初期血圧値記憶手段９４、終期血圧値記憶手段９６、最高血圧値記憶手段９８、及び最低血圧値記憶手段１００により記憶されている４種の血圧値が、これら４種の血圧値に対応する測定日時と共に記録紙上にリスト表示され、さらに、これら４種の血圧値に対応する記号がトレンドグラフに付される。
【００１３】
図４は、上記演算制御回路５６の作動の要部を説明するフローチャートである。図において、ステップＳ１では、磁気カード読込装置８６の磁気カード挿入口３０へ磁気カード８８が挿入されたか否かが判断される。このステップＳ１の判断が否定された場合には本ルーチンが終了させられるが、肯定された場合にはステップＳ２において磁気カード８８に記録されたＩＤ信号が読み込まれる。
【００１４】
続くステップＳ３では、読み込まれたＩＤ信号が記憶装置７２の記憶領域に予め登録されたものであるか否かが判断される。このステップＳ３の判断が否定された場合は、ステップＳ１３が実行されて磁気カード８８が磁気カード挿入口３０から送り出される。しかし、この判断が肯定された場合すなわち磁気カード８８に記録されたＩＤ信号が登録済である場合は、続くステップＳ４において血圧測定のための起動スイッチ２４が操作されたか否かが判断される。
【００１５】
この判断が否定されると肯定されるまで待機させられる。このステップＳ４の判断が肯定されると、ステップＳ５において、後述するステップＳ１１に用いられる所定の５分間を計測するために、タイマーが始動させられる。続いて、前記血圧値測定手段９０に対応するステップＳ６の血圧測定ルーチンが実行され、最高血圧値、最低血圧値、平均血圧値、脈拍数などが測定される。この血圧測定ルーチンでは、予め定められた手順に従ってカフ１８が自動的に昇圧させられ、このカフ１８の降圧過程においてはよく知られたオシロメトリック法に従って血圧値が決定される。すなわち、採取された脈波の大きさに基づいて最高血圧値ＳＡＰ、最低血圧値ＤＡＰが決定され、その脈波の最大振幅時のカフ圧が平均血圧値ＭＡＰとして決定されるとともに、その血圧値決定に用いられた脈波の発生間隔に基づいて脈拍数が算出される。
【００１６】
続いてステップＳ７では、測定された上記最高血圧値ＳＡＰ、最低血圧値ＤＡＰ、平均血圧値ＭＡＰ、脈拍数と測定日時とが記憶装置７２の仮血圧値記憶領域７４内に記憶されるとともに、最高血圧表示器３４、最低血圧表示器３６、脈拍数表示器３８にそれぞれ表示される。
【００１７】
続いてステップＳ８では、血圧測定のための起動スイッチ２４が操作されたか否かが判断され、この判断が肯定された場合は、再びステップＳ６以下が繰り返し実行される。この場合には、再測定された血圧値が仮血圧値として、記憶装置７２の仮血圧値記憶領域７４内に記憶される。しかし、この判断が否定された場合は、ステップＳ９において、血圧測定を終了するための停止スイッチ２６が操作されたか否かが判断され、この判断が肯定された場合は、血圧測定開始から所定の５分間待機させられることなく血圧測定を終了することができるように、ステップＳ１１以下が実行される。しかし、この判断が否定された場合は、未だ再測定される可能性が残っているので、引き続きステップＳ１０が実行される。
【００１８】
ステップＳ１０では、前記ステップＳ５により始動されたタイマーが所定の５分間を計測し終えたか否かが判断される。この判断が否定された場合も、未だ再測定される可能性が残っているので、再びステップＳ８以下が繰り返し実行される。しかし、この判断が肯定された場合は当初の目的が達成されたので、続いて、血圧値記憶手段９２に対応するステップＳ１１の本血圧値記憶ルーチンが実行される。
【００１９】
上記本血圧値記憶ルーチンにおいては、図５に表されるサブルーチンのステップＳ１１−１以下が実行される。ステップＳ１１−１では、記憶装置７２の仮血圧値記憶領域７４内に記憶されている血圧値等がＲＡＭ６６上に読み出され、続くステップＳ１１−２において、血圧測定が複数回行われたか否かが判断される。すなわち、読み出された血圧値等が複数個存在するか否かが判断される。この判断が否定された場合は、血圧測定は複数回行われておらず、単に測定された血圧値等を記憶させればよいので、ステップＳ１１−３において、測定された最高血圧値ＳＡＰ、最低血圧値ＤＡＰ、平均血圧値ＭＡＰ、脈拍数と測定日時とが記憶装置７２の血圧値記憶領域７６内に記憶させられる。しかし、この判断が肯定された場合は、血圧測定は複数回行われており、複数個の血圧値等のうち最も適当な血圧値等のみを記憶させるべく、ステップＳ１１−４において、それら複数個の血圧値等のうち最高血圧値が最低値を示す血圧値等のみが記憶させられる。すなわち、その最高血圧値ＳＡＰ、最低血圧値ＤＡＰ、平均血圧値ＭＡＰ、脈拍数と、最初に測定を開始してから所定の５分間が経過した時点での測定日時とが記憶装置７２の血圧値記憶領域７６内に記憶させられる。
【００２０】
前記本血圧値記憶ルーチンが実行されると、続いて、表示出力制御手段１０２に対応するステップＳ１２の表示出力ルーチンが実行される。表示出力ルーチンにおいては、図６のサブルーチンに表されるステップＳ１２−１以下が実行される。ステップＳ１２−１では、記憶装置７２の血圧値記憶領域７６内に記憶されている血圧値等が、対応する測定日時と共にＲＡＭ６６上に読み出され、続くステップＳ１２−２において、読み出された血圧値等が最も古い測定日時を有する血圧値等であるか否かが判断される。この判断が肯定された場合は、初期血圧値記憶手段９４に対応するステップＳ１２−３において、その最高血圧値ＳＡＰ、最低血圧値ＤＡＰ、平均血圧値ＭＡＰ、脈拍数と測定日時とが記憶装置７２の初期血圧値記憶領域７８内に記憶させられる。
【００２１】
しかし、この判断が否定された場合は、続くステップＳ１２−４において、読み出された血圧値等が二番目に新しい測定日時を有する血圧値等であるか否かが判断される。この判断が肯定された場合は、終期血圧値記憶手段９６に対応するステップＳ１２−５において、その最高血圧値ＳＡＰ、最低血圧値ＤＡＰ、平均血圧値ＭＡＰ、脈拍数と測定日時とが記憶装置７２の終期血圧値記憶領域８０内に記憶させられる。
【００２２】
しかし、この判断が否定された場合は、続くステップＳ１２−６において、読み出された血圧値等の最高血圧値が最高値であるか否かが判断される。この判断が肯定された場合は、最高血圧値記憶手段９８に対応するステップＳ１２−７において、その最高血圧値ＳＡＰ、最低血圧値ＤＡＰ、平均血圧値ＭＡＰ、脈拍数と測定日時とが記憶装置７２の最高血圧値記憶領域８２内に記憶させられる。
【００２３】
しかし、この判断が否定された場合は、続くステップＳ１２−８において、読み出された血圧値等の最高血圧値が最低値であるか否かが判断される。この判断が肯定された場合は、最低血圧値記憶手段１００に対応するステップＳ１２−９において、その最高血圧値ＳＡＰ、最低血圧値ＤＡＰ、平均血圧値ＭＡＰ、脈拍数と測定日時とが記憶装置７２の最低血圧値記憶領域８４内に記憶させられる。
【００２４】
しかし、この判断が否定された場合は、引き続きステップＳ１２−１以下が繰り返し実行される。そして、続くステップＳ１２−１０では、初期血圧値記憶領域７８、終期血圧値記憶領域８０、最高血圧値記憶領域８２、及び最低血圧値記憶領域８４に記憶される血圧値等が確定したか否かが判断される。この判断が否定された場合は、引き続きステップＳ１２−１以下が繰り返し実行される。しかし、この判断が肯定された場合は、続くステップＳ１２−１１が実行される。
【００２５】
ステップＳ１２−１１においては、例えば図７に示されるように、プリンタ２８により記録紙１０４上に表示出力される。すなわち、記録紙１０４上の左上の位置には被測定者の氏名１０６が表示されると共に、その下側には、上記初期血圧値記憶領域７８、上記終期血圧値記憶領域８０、上記最高血圧値記憶領域８２、及び上記最低血圧値記憶領域８４に記憶されている測定日時、血圧値、および脈拍数のリスト１０８、前記血圧値記憶領域７６に記憶されている全ての血圧値のトレンドグラフ１１０が順次表示される。このトレンドグラフ１１０では、最高血圧値および最低血圧値を上端および下端それぞれに示す細横棒と脈拍数を示す太横棒とが血圧測定時点に対応して横軸すなわち時間軸１１２に沿って並列表示されている。また、リスト１０８に表示出力された血圧値に対応する記号１１４▲が、該当するトレンドグラフ１１０の下側に付される。ステップＳ１２が実行されると、続いてステップＳ１３が実行され、磁気カード読込装置８６から磁気カード８８が送り出される。
【００２６】
上述のように、本実施例によれば、リスト１０８に表示される血圧値は、トレンドグラフ１１０との対応関係の確認が特に要求される主要な４種の血圧値に限られており、しかも、それら４種の血圧値に対応する記号１１４▲がトレンドグラフ１１０に付されているので、トレンドグラフ１１０から対応する特定のリスト１０８を速やかに探し出すことができ、記録紙１０４の使用量を削減することができる。また、リスト１０８に表示される主要な４種の血圧値には、前記初期血圧値および前記終期血圧値が含まれているので、表示されているトレンドグラフ１１０がどのくらいの期間に渡って測定されたものかを容易且つ速やかに判別できる。さらに、トレンドグラフ１１０にはリスト１０８とは異なり、全ての血圧値が表示されると共に、測定順序に従って等間隔に表示されるので、血圧値の推移が容易に把握される。しかも、縦列表示されるリスト１０８とは異なり、トレンドグラフ１１０は並列表示されるので全ての血圧値が表示されても記録紙１０４の使用量を徒に増やしてしまうということはない。
【００２７】
以上、本発明の一実施例を図面に基づいて説明したが、本発明はその他の態様においても適用される。
【００２８】
例えば、前述の実施例において、ステップＳ５、およびステップＳ７乃至ステップＳ１１は必ずしも設けられていなくてもよい。尚、この場合はステップＳ６において血圧値が測定された後に、その血圧値は最高血圧表示器３４及び最低血圧表示器３６に表示されると同時に、記憶装置７２の血圧値記憶領域７６に記憶され、それから、ステップＳ１２以下が実行されるように構成される。
【００２９】
また、前述の実施例において、ステップＳ６では所謂オシロメトリック方式に従って血圧値が決定されていたが、コロトコフ音方式に従って血圧値が決定されてもよい。このような場合には、コロトコフ音を検出するためのマイクロホンが設けられる。
【００３０】
また、前述の実施例においては、過去に測定された血圧値等は記憶装置７２に保存されていたが、磁気カード８８に保存されるように構成されていてもよい。この場合は、記憶装置７２に記憶させていた演算制御回路５６の様々な作動は、全てＲＡＭ６６上に一時的に記憶させるものとし、磁気カード読込装置８６から磁気カード８８が送り出される前に、磁気カードに記憶させるものとされる。尚、この場合は記憶装置７２は省略することができる。
【００３１】
また、前述の実施例において、記憶装置７２の初期血圧値記憶領域７８、及び終期血圧値記憶領域８０に記憶される血圧値等は、血圧値記憶領域７６内に記憶されている全ての血圧値のうちで、それぞれ最も古い測定日時を有する血圧値等と、２番目に新しい測定日時を有する血圧値等であったが、必ずしも、このような血圧値等である必要はなく、それぞれ初期の測定日時を有する血圧値群のうちの何れか一つの初期血圧値と、終期の測定日時を有する血圧値群のうちの何れか一つの終期血圧値であればよい。
【００３２】
また、前述の実施例においては、前記主要な４種の血圧値に対応する測定日時および脈拍数のリスト１０８が表示出力されていたが、表示出力されるものは、これら４種の血圧値に対応するものであればその他様々なものが考えられる。例えば、対応する平均血圧値、動脈硬化度などが挙げられる。
【００３３】
なお、上述したのはあくまでも本発明の一実施例であり、本発明はその主旨を逸脱しない範囲において様々な変更が加えられ得る。
【図面の簡単な発明】
【図１】本発明の一実施例の血圧測定装置を説明する斜視図である。
【図２】図１の実施例の回路構成を説明するブロック線図である。
【図３】図１の演算制御回路５６の制御機能を説明する機能ブロック線図である。
【図４】図１の演算制御回路５６の制御作動を説明するフローチャートである。
【図５】図４のフローチャートのステップＳ１１のサブルーチンに対応するフローチャートである。
【図６】図４のフローチャートのステップＳ１２のサブルーチンに対応するフローチャートである。
【図７】図４の制御作動に従って表示出力される例を説明する図である。
【符号の説明】
１０：自動血圧測定装置
１８：カフ
９０：血圧値測定手段
９２：血圧値記憶手段
９４：初期血圧値記憶手段
９６：終期血圧値記憶手段
９８：最高血圧値記憶手段
１００：最低血圧値記憶手段
１０２：表示出力制御手段
【図１】
0003590462.tif 000002
【図２】
0003590462.tif 000003
【図３】
0003590462.tif 000004
【図４】
0003590462.tif 000005
【図５】
0003590462.tif 000006
【図６】
0003590462.tif 000007
【図７】
0003590462.tif 000008